(57)【要約】本発明による幼児用モビールは、モータの作動によりカム部材が回転されながら作動バーを上下方向または左右方向に移動させてオブジェを移動させることができ、これによって幼児の視線をひく効果がある。【代表図】図２
2014530710.tif 000002
【特許請求の範囲】
【請求項１】
幼児用モビールにおいて、天井に固定されたボディモジュール１０と、
幼児の視線を集中させるオブジェ２４が設けられ、前記ボディモジュール１０に結合されたオブジェモジュール２０と、
前記ボディモジュール１０に設けられ、前記オブジェモジュール２０と相互干渉され前記オブジェ２４を上下方向に相対移動させるカムモジュール３０とを含み、
前記ボディモジュール１０は前記カムモジュール３０が内部に設けられるカムボディ１２と、前記カムボディ１２及び天井を固定させる天井固定部材１４を含み、前記オブジェモジュール２０は前記カムボディ１２を貫通して設けられる作動バー２２と、前記作動バー２２に吊られているオブジェ２４を含む、
幼児用モビール。
【請求項２】
前記カムモジュール３０は、前記カムボディ１２に設けられたモータ３２と、前記モータ３２により回転され、前記作動バー２２と相互間接され、前記作動バー２２を移動させるカム部材３４を含むことを特徴とする請求項１に記載の幼児用モビール。
【請求項３】
天井に固定されたボディモジュール１０と、
幼児の視線を集中させるオブジェ２４が設けられ、前記ボディモジュール１０に結合されたオブジェモジュール２０と、
前記ボディモジュール１０に設けられ、前記オブジェモジュール２０と相互干渉され前記オブジェ２４を上下方向に相対移動させるカムモジュール３０とを含み、
前記ボディモジュール１１０はモータ３２が内部に設けられるカムボディ１１２と、前記カムボディ１１２及び天井を固定させる天井固定部材１４を含み、前記オブジェモジュール２０は、前記カムボディ１２を貫通して設けられる作動バー２２と、前記作動バー２２に吊られているオブジェ２４を含み、前記カムボディ１１２は前記天井固定部材１４に固定されるアッパーボディ１１３と、前記モータ３２により回転され、前記作動バー２２と相互干渉され前記作動バー２２を上下方向に移動させるカム部材１１５を含む、
幼児用モビール。
【請求項４】
天井に固定されたボディモジュール１０と、
幼児の視線を集中させるオブジェ２４が設けられ、前記ボディモジュール１０に結合されたオブジェモジュール２０と、
前記ボディモジュール１０に設けられ、前記オブジェモジュール２０と相互干渉され前記オブジェ２４を水平方向に相対移動させるカムモジュール３０とを含み、
前記ボディモジュール１０は前記カムモジュール３０が内部に設けられるカムボディ１２と、前記カムボディ１２及び天井を固定させる天井固定部材１４を含み、前記オブジェモジュール２０は前記カムボディ１２に設けられ水平方向に移動される作動バー２２２と、前記作動バー２２２に吊られているオブジェ２４を含み、前記カムモジュール３０は、前記作動バー２２２を水平方向に移動させるように干渉部２３５が形成されたカム部材２３４と、前記作動バー２２２が前記カム部材２３４に密着されるように弾性力を提供する弾性部材２３８を含む、
幼児用モビール。
【請求項５】
前記作動バー２２２は、前記カムボディ１２を貫通して配置された請求項４に記載の幼児用モビール。
【請求項６】
天井に固定されたボディモジュール１０と、
幼児の視線を集中させるオブジェ２４が設けられ、前記ボディモジュール１０に結合されたオブジェモジュールと、
前記ボディモジュール１０に設けられ、前記オブジェモジュールと相互干渉され前記オブジェ２４を相対移動させるカムモジュール３０とを含み、
前記ボディモジュール１０は前記カムモジュール３０が内部に設けられるカムボディ１２と、前記カムボディ１２及び天井を固定させる天井固定部材１４を含み、前記オブジェモジュールは前記カムボディ１２に設けられ水平方向に移動される作動バー３２２と、前記作動バー３２２と歯合され回転される駆動フィル３２４と、前記駆動フィル３２４に設けられ上下に移動される前記オブジェ２４を含み、前記カムモジュール３０は、前記作動バーを水平方向に移動させるように干渉部２３５が形成されたカム部材２３４と、前記作動バー３２２が前記カム部材２３４に密着されるように弾性力を提供する弾性部材２３８を含む、
幼児用モビール。
【請求項７】
前記作動バー３２２は前記カムボディ１２に設けられたガイド３２３により支持され移動されるように構成されたことを特徴とする請求項６に記載の幼児用モビール。
【請求項８】
天井に固定されたボディモジュール１０と、
幼児の視線を集中させるオブジェ２４が設けられ、前記ボディモジュール１０に結合されたオブジェモジュールと、
前記ボディモジュール１０に設けられ、前記オブジェモジュールと相互干渉され前記オブジェ２４を相対移動させるカムモジュール３０とを含み、
前記ボディモジュール１０は前記カムモジュール３０が内部に設けられるカムボディ１２と、前記カムボディ１２及び天井を固定させる天井固定部材１４を含み、前記オブジェモジュールは前記カムボディ１２に設けられ水平方向に移動される作動バー２２２と、前記カムボディ１２にヒンジ２２１連結され前記作動バー２２２と相互干渉されて回転され前記オブジェ２４が設けられた回転バー２２５を含み、前記カムモジュール３０は前記作動バー２２２を水平方向に移動させるように干渉部２３５が形成されたカム部材２３４と、前記作動バー２２２が前記カム部材２３４に密着されるように弾性力を提供する弾性部材２３８を含む、
幼児用モビール。
【請求項９】
前記回転バー２２５は、前記カムボディ１２にヒンジ２２１連結され、前記カムボディ１２外側に延長され形成された延長部２２３と、前記作動バー２２２の水平移動の際に前記作動バー２２２と相互干渉され作動力を伝達受ける干渉部２２４を含むことを特徴とする請求項８に記載の幼児用モビール。
【請求項１０】
天井に固定されたカムボディ１２及び前記カムボディ１２と相対回転される回転ボディ１６を含むボディモジュール１０と、
幼児の視線を集中させるオブジェ２２が設けられ、前記ボディモジュール１０に結合されたオブジェモジュール２０と、
前記ボディモジュール１０に設けられ、前記オブジェモジュール２０と相互干渉され前記オブジェ２２を相対移動させるカムモジュール３０とを含み、
前記回転ボディ１６には前記オブジェモジュール２０が貫通される貫通ホール１７が形成され、前記カムモジュール３０は前記カムボディ１２に固定され、前記回転ボディ１６を回転させるモータ３２と、前記カムボディ１２内側に固定され、前記モータ３２により前記回転ボディ１６が回転される際に、前記オブジェモジュール２０と相互干渉され前記作動バー２２を上下方向に移動させるカム部材３３４を含む、
幼児用モビール。  
【発明の詳細な説明】
【技術分野】
【０００１】
本発明は、幼児用モビールに関するものであって、より詳しくは、カムの作動によりオブジェが左右または上下に移動して幼児の関心を引く幼児用モビールに関するものである。
【背景技術】
【０００２】
幼児用モビールは傘の骨の形状の固定物に糸を利用して様々な造形物を吊るして幼児の視覚、空間知覚及び認知能力を向上させるための幼児用おもちゃである。
【０００３】
既存の幼児用モビールは単純に花模様、動物模様、昆虫模様など多様な模様の造形物を吊るして、人が作動力を提供しないと動きが生じない。
【０００４】
また、モータを使用する場合にも、前記モータにより単純に造形物が一側方向に回転するので、一定の時間が経過した後には、幼児は興味をなくなってしまう。
【発明の概要】
【発明が解決しようとする課題】
【０００５】
本発明はカムの作動によりオブジェが左右または上下に移動して幼児の関心を引く幼児用モビールを提供することを目的とする。
【課題を解決するための手段】
【０００６】
本発明の一側面は幼児用モビールにおいて、天井に固定されたボディモジュール１０と、幼児の視線を集中させるオブジェ２４が設けられ、前記ボディモジュール１０に結合されたオブジェモジュール２０と、前記ボディモジュール１０に設けられ、前記オブジェモジュール２０と相互干渉され前記オブジェ２４を上下方向に相対移動させるカムモジュール３０とを含み、前記ボディモジュール１０は前記カムモジュール３０が内部に設けられるカムボディ１２と、前記カムボディ１２及び天井を固定させる天井固定部材１４を含み、前記オブジェモジュール２０は、前記カムボディ１２を貫通して設けられる作動バー２２と、前記作動バー２２に吊られているオブジェ２４を含む幼児用モビールを提供する。
【０００７】
ここで前記カムモジュール３０は、前記カムボディ１２に設けられたモータ３２と、前記モータ３２により回転され、前記作動バー２２と相互間接され、前記作動バー２２を移動させるカム部材３４を含むことができる。
【０００８】
本発明の他の側面は幼児用モビールにおいて、天井に固定されたボディモジュール１０と、幼児の視線を集中させるオブジェ２４が設けられ、前記ボディモジュール１０に結合されたオブジェモジュール２０と、前記ボディモジュール１０に設けられ、前記オブジェモジュール２０と相互干渉され前記オブジェ２４を上下方向に相対移動させるカムモジュール３０とを含み、前記ボディモジュール１１０はモータ３２が内部に設けられるカムボディ１１２と、前記カムボディ１１２及び天井を固定させる天井固定部材１４を含み、前記オブジェモジュール２０は、前記カムボディ１２を貫通して設けられる作動バー２２と、前記作動バー２２に吊られているオブジェ２４を含み、前記カムボディ１１２は前記天井固定部材１４に固定されるアッパーボディ１１３と、前記モータ３２により回転され、前記作動バー２２と相互干渉され前記作動バー２２を上下方向に移動させるカム部材１１５を含む幼児用モビールを提供する。
【０００９】
本発明のまた他の側面は幼児用モビールにおいて、天井に固定されたボディモジュール１０と、幼児の視線を集中させるオブジェ２４が設けられ、前記ボディモジュール１０に結合されたオブジェモジュール２０と、前記ボディモジュール１０に設けられ、前記オブジェモジュール２０と相互干渉され前記オブジェ２４を水平方向に相対移動させるカムモジュール３０とを含み、前記ボディモジュール１０は前記カムモジュール３０が内部に設けられるカムボディ１２と、前記カムボディ１２及び天井を固定させる天井固定部材１４を含み、前記オブジェモジュール２０は前記カムボディ１２に設けられ水平方向に移動される作動バー２２２と、前記作動バー２２２に吊られているオブジェ２４を含み、前記カムモジュール３０は、前記作動バー２２２を水平方向に移動させるように干渉部２３５が形成されたカム部材２３４と、前記作動バー２２２が前記カム部材２３４に密着されるように弾性力を提供する弾性部材２３８を含む幼児用モビールを提供する。
【００１０】
ここで前記作動バー２２２は、前記カムボディ１２を貫通して配置することができる。
【００１１】
本発明のまた他の側面は幼児用モビールにおいて、天井に固定されたボディモジュール１０と、幼児の視線を集中させるオブジェ２４が設けられ、前記ボディモジュール１０に結合されたオブジェモジュールと、前記ボディモジュール１０に設けられ、前記オブジェモジュールと相互干渉され前記オブジェ２４を相対移動させるカムモジュール３０とを含み、前記ボディモジュール１０は前記カムモジュール３０が内部に設けられるカムボディ１２と、前記カムボディ１２及び天井を固定させる天井固定部材１４を含み、前記オブジェモジュールは前記カムボディ１２に設けられ水平方向に移動される作動バー３２２と、前記作動バー３２２と歯合され回転される駆動フィル３２４と、前記駆動フィル３２４に設けられ上下に移動される前記オブジェ２４を含み、前記カムモジュール３０は前記作動バーを水平方向に移動させるように干渉部２３５が形成されたカム部材２３４と、前記作動バー３２２が前記カム部材２３４に密着されるように弾性力を提供する弾性部材２３８を含む幼児用モビールを提供する。
【００１２】
ここで前記作動バー３２２は、前記カムボディ１２に設けられたガイド３２３により支持され移動され得る。
【００１３】
本発明のまた他の側面は幼児用モビールにおいて、天井に固定されたボディモジュール１０と、幼児の視線を集中させるオブジェ２４が設けられ、前記ボディモジュール１０に結合されたオブジェモジュールと、前記ボディモジュール１０に設けられ、前記オブジェモジュールと相互干渉され前記オブジェ２４を相対移動させるカムモジュール３０とを含み、前記ボディモジュール１０は前記カムモジュール３０が内部に設けられるカムボディ１２と、前記カムボディ１２及び天井を固定させる天井固定部材１４を含み、前記オブジェモジュールは前記カムボディ１２に設けられ水平方向に移動される作動バー２２２と、前記カムボディ１２にヒンジ２２１連結され、前記作動バー２２２と相互干渉されて回転され、前記オブジェ２４が設けられた回転バー２２５を含み、前記カムモジュール３０は前記作動バー２２２を水平方向に移動させるように干渉部２３５が形成されたカム部材２３４と、前記作動バー２２２が前記カム部材２３４に密着されるように弾性力を提供する弾性部材２３８を含む幼児用モビールを提供する。
【００１４】
ここで前記回転バー２２５は、前記カムボディ１２にヒンジ２２１連結され、前記カムボディ１２外側に延長されて形成された延長部２２３と、前記作動バー２２２の水平移動の際に前記作動バー２２２と相互干渉され作動力を伝達受ける干渉部２２４を含むことができる。
【００１５】
本発明のまた他の側面は、天井に固定されたカムボディ１２及び前記カムボディ１２と相対回転される回転ボディ１６を含むボディモジュール１０と、幼児の視線を集中させるオブジェ２２が設けられ、前記ボディモジュール１０に結合されたオブジェモジュール２０と、前記ボディモジュール１０に設けられ、前記オブジェモジュール２０と相互干渉され、前記オブジェ２２を相対移動させるカムモジュール３０とを含み、前記回転ボディ１６には前記オブジェモジュール２０が貫通される貫通ホール１７が形成され、前記カムモジュール３０は前記カムボディ１２に固定され、前記回転ボディ１６を回転させるモータ３２と、前記カムボディ１２内側に固定され前記モータ３２により前記回転ボディ１６が回転される際に、前記オブジェモジュール２０と相互干渉され、前記作動バー２２を上下方向に移動させるカム部材３３４を含む幼児用モビールを提供する。
【発明の効果】
【００１６】
本発明による幼児用モビールは、モータの作動によりカム部材が回転されながら作動バーを上下方向または左右方向に移動させてオブジェを移動させることができ、これにより幼児の視線をひく効果がある。
【図面の簡単な説明】
【００１７】
【図１】本発明の一実施例によるモビールの斜視図である。
【図２】図１の作動構造を示した正断面図である。
【図３】図２のカム部材を示した斜視図である。
【図４】本発明の他の実施例によるモビールの正断面図である。
【図５】図４のカム部材を示した斜視図である。
【図６】本発明のまた他の実施例によるモビールの平断面図である。
【図７】図６のカム部材を示した斜視図である。
【図８】本発明のまた他の実施例によるモビールの正断面図である。
【図９】本発明のまた他の実施例によるモビールの正断面図である。
【図１０】本発明のまた他の実施例によるモビールの正断面図である。
【発明を実施するための形態】
【００１８】
以下、添付の図面を参照して本発明について具体的に考察する。
【００１９】
但し、本発明を説明するにおいて、関連した公知機能または構成に対する具体的な説明が本発明の要旨を不明確にすると判断される場合には、その詳細な説明を省略する。用語が同一であっても示すところが異なると、図面符号が一致しない場合もある。
【００２０】
また、後述する用語等は本発明における機能を考慮して設定された用語等であって、これは実験者及び測定者のような使用者の意図または慣例によって異なることも有り得るので、その定義は本明細書全般に亘る内容を基に判断されるべきである。
【００２１】
本発明において、第１、第２などの用語は、多様な構成要素を説明するために使用するが、各構成要素は、これらの用語によって限定されるものではない。前記用語は、一つの構成要素を、他の構成要素から区別する目的のみで使用する。
例えば、本発明の権利範囲を外れずに、第１構成要素は、第２構成要素と命名することができ、類似に第２構成要素も第１構成要素と命名することができる。「及び」／「または」という用語は、複数の関連のある記載項目の組合または複数の関連のある記載項目のうち何れかの項目を含む。
【００２２】
本明細書で使用した用語は、単に特定の実施形態を説明するためのものに過ぎず、本発明の限定を意図するものではない。単数の表現は文脈上、明らかに異なる意味を有しない限り、複数の表現を含む。
【００２３】
本明細書において、特別に定義されない限り、技術的あるいは科学的な用語を含んでここで用いられる全ての用語は、本発明が属する技術分野において通常の知識を有する者にとって一般的に理解され得るものと同じ意味を有している。一般的に用いられる辞書に定義されているものと同じ用語は、関連技術の文脈上で有する意味と一致する意味を有するものと解釈されなければならず、本出願で明らかに定義しない限り、理想的あるいは過度に形式的な意味として解釈されない。
【００２４】
また、ある部分がある構成要素を「含む」ということは、特に反対の記載がない限り、他の構成要素を除外せず、他の構成要素をさらに含むことができることを意味する。
【００２５】
図１は本発明の一実施例によるモビールの斜視図であり、図２は図１の作動構造が示された正断面図であり、図３は図２のカム部材が示された斜視図である。
【００２６】
図示されたように、本実施例によるモビールは天井に固定されたボディモジュール１０と、幼児の視線を集中させるオブジェ２２が設けられ、前記ボデイモジュール１０に結合されたオブジェモジュール２０と、前記ボディモジュール１０に設けられ、前記オブジェモジュール２０と相互干渉され前記オブジェ２２を相対移動させるカムモジュール３０を含む。
【００２７】
前記ボディモジュール１０は、前記カムモジュール３０が内部に設けられるカムボディ１２と、前記カムボディ１２及び天井を固定させる天井固定部材１４を含む。
【００２８】
前記オブジェモジュール２０は、前記カムボディ１２を貫通して設けられる作動バー２２と前記作動バー２２に吊られているオブジェ２４を含む
【００２９】
前記カムモジュール３０は、前記カムボディ１２に設けられたモータ３２と、前記モータ３２により回転され、前記作動バー２２と相互干渉されて前記作動バー２２を移動させるカム部材３４を含む。
【００３０】
本実施例において、前記モータ３２は前記カムボディ１２内側面に固定される。
【００３１】
前記作動バー２２は、一側が前記カムボディ１２内部に配置され、他側は前記カムボディ１２外部に配置され、前記カムボディ１２に支持されて上下方向に回転できる。
【００３２】
また、前記作動バー２２は、前記カムボディ１２内側に配置された一側に係止部２３が形成され、前記係止部２３と前記カム部材３４の相互係止により前記作動バー２２が前記カム部材３４から分離されることが抑制される。
【００３３】
前記カムモジュール３０は、本実施例において、前記作動バー２２を上下方向に相対移動させるように形成され、前記カム部材３４は前記作動バー２２と接触され回転される際に、前記作動バー２２の一側を上下方向に移動させる干渉部３５が形成される。
【００３４】
前記干渉部３５は本実施例において、前記カム部材３４の下側面に形成され、前記作動バー２２が上下移動できるように上下方向に屈曲が形成される。
【００３５】
前記干渉部３５は前記作動バー２２と接触され前記作動バー２２の一側を下側に移動させる凸部３５ａと、前記作動バー２２と接触され前記作動バー２２の一側を上側に移動させる凹部３５ｂを含む。
【００３６】
ここで前記凸部３５ａ及び凹部３５ｂは連続した曲面で形成され、回転の際に前記作動バー２２との係止が生じないようにする。
【００３７】
また、前記作動バー２２は前記カムボディ１２に１点支持されるので、前記カムボディ１２には前記作動バー２２が貫通して支持される支持部１３が形成され、前記支持部１３を基準として前記作動バー２２の一側及び他側が互いに反対方向に回転される。
【００３８】
そして、前記モータ３２により前記カム部材３４が回転されると、前記作動バー２２が前記支持部１３に支持される状態で、前記凸部３５ａ及び凹部３５ｂと前記作動バー２２が持続的に相互接触され前記作動バー２２を上下方向に回転させる。
【００３９】
そして、前記カム部材３４が所定周期で回転されるので、前記作動バー２２は前記カム部材３４の回転周期によって前記オブジェ２４を上側または下側に移動させる。
【００４０】
図４は本発明の他の実施例によるモービルの正断面図であり、図５は図４のカム部材が図示された斜視図である。
【００４１】
図示されたように、本実施例によるモビールはボディモジュール１１０にカム部材１１５が形成されることを特徴とする。
【００４２】
前記ボディモジュール１１０は、モータ３２が内部に設けられるカムボディ１１２と、前記カムボディ１１２及び天井を固定させる天井固定部材１４を含む。
【００４３】
前記カムボディ１１２は、前記天井固定部材１４に固定されるアッパーボディ１１３と、前記モータ３２により回転されるカム部材１１５を含む。
【００４４】
前記作動バー２２は、前記一実施例のように前記ボディモジュール１１０内部に一側が挿入されて配置され、前記作動バー２２の一側に係止部２３が形成され、前記係止部２３は前記アッパーボディ１１３と相互係止を形成する。
【００４５】
そして、前記係止部２３は、前記アッパーボディ１１３と相互係止され分離されることが遮断される。
【００４６】
前記カム部材１１５は、上側面に前記作動バー２２と相互干渉される干渉部１１７が形成される。そして、前記カム部材１１５の回転の際に、前記作動バー２２は前記干渉部１１７に支持されながら、前記干渉部１１７の高低の差により上下方向に回転される。
【００４７】
以下、他の構成は前記一実施例と同一であるので、詳細な説明を省略する。
【００４８】
図６は本発明のまた他の実施例によるモビールの平断面図であり、図７は図６のカム部材が図示された斜視図である。
【００４９】
図示されたように、本実施例による他のモビールはモータにより回転されるカム部材２３４により作動バー２２２が左右方向に移動されるように構成される。
【００５０】
このために前記カム部材２３４は水平方向に突出された干渉部２３５が形成される。
【００５１】
前記一実施例では、前記作動バーの自重により前記カム部材３４及び作動バー２２が常時接触された状態を維持したが、本実施例では自重による接触状態を維持することが難しいので、弾性部材２３８により前記カム部材２３４及び作動バー２２２の接触が維持される。
【００５２】
前記弾性部材２３８は、前記作動バー２２２及び前記カムボディ１２を連結させて前記作動バー２２２に弾性力を提供することもでき、前記カムボディ１２及び前記作動バー２２２の間に配置されて弾性力を提供しても構わないし、本実施例とは違って前記作動バー２２２及び前記カム部材２３４の間に配置されても構わない。
【００５３】
そして、モータにより前記カム部材２３４が回転されると、前記作動バー２２２が前記干渉部２３５の表面に沿って移動され、屈曲が形成された前記干渉部２３５により水平方向に移動することができる。
【００５４】
特に、前記弾性部材２３８により前記作動バー２２２が前記カム部材２３４に密着された状態を維持して前記作動バー２２２の相対移動を円滑にする。
【００５５】
以下、他の構成は前記一実施例と同一であるので、詳細な説明を省略する。
【００５６】
図８は、本発明のまた他の実施例によるモビールの正断面図である。
【００５７】
図示されたように、本実施例によるモビールはカム部材２３４の回転により作動バー３２２が水平方向に移動され、かつ、前記作動バー３２２及び駆動フィル３２４の相互干渉を通じてオブジェ２４が上下方向に移動されるように構成される。
【００５８】
前記カム部材２３４は、図７のカム部材と同一の構成であり、前記カム部材２３４の半径方向の外側に干渉部２３５が突出して形成される。
【００５９】
そして、図６のように、前記作動バー３２２は、未図示の弾性部材により、前記カム部材２３４側に密着されて前記カム部材２３４と接触された状態を維持する。
【００６０】
前記作動バー３２２は、前記カムボディ１２に支持され、本実施例では、前記作動バー３２２を２点支持するガイド３２３が配置され前記作動バー３２２が水平方向に移動できるようにし、前記作動バー３２２には前記駆動フィル３２４と相互干渉される歯形が形成される。
【００６１】
前記駆動フィル３２４は前記作動バー３２２の歯形と歯合され、前記作動バー３２２の直線移動の際に回転されるように構成される。
【００６２】
特に本実施例では、前記作動バー３２２及び前記駆動フィル３２４がラック構造、ピニオン構造で歯合されるように構成される。
【００６３】
そして、前記駆動フィル３２４にはオブジェ２４が固定され、前記フィル３２４の回転により前記オブジェ２４を吊るしたワイヤーが巻かれながら前記オブジェ２４が上下方向に移動できる。
【００６４】
そして、前記モータ３２の回転の際に、前記カム部材２３４が回転されながら前記作動バー３２２を直線移動させ、前記作動バー３２２の移動により前記駆動フィル３２４が回転されながら前記オブジェ２４を固定したワイヤー２５が巻かれ、前記ワイヤー２５が巻かれることにより前記オブジェ２４の高低が変更される。
【００６５】
一方、図示されたのとは違って、前記作動バー３２２と駆動フィル３２４の位置を変更して前記駆動フィル３２４下に前記作動バー３２２が位置される場合、前記オブジェ２４の自重により前記作動バー３２２及び前記駆動フィル３２４がより効果的に密着できる。
【００６６】
以下、他の構成は前記一実施例と同一であるので、詳細な説明を省略する。
【００６７】
図９は、本発明のまた他の実施例によるモビールの正断面図である。
【００６８】
図示されたように本実施例によるモビールは、オブジェモジュール２０が回転されながら上下に移動するように構成される。
【００６９】
このために前記モビールは、天井に固定されたカムボディ１２及び前記カムボディ１２と相対回転される回転ボディ１６を含むボディモジュール１０と、幼児の視線を集中させるオブジェ２４が設けられ、前記ボディモジュール１０に結合されたオブジェモジュール２０と、前記ボディモジュール１０に設けられ、前記オブジェモジュール２０と相互干渉され前記オブジェ２４を相対移動させるカムモジュール３０を含む。
【００７０】
前記回転ボディ１６には、前記作動バー２２が貫通される貫通ホール１７が形成される。
【００７１】
前記カムモジュール３０は、前記カムボディ１２に固定されたモータ３２と、前記カムボディ１２内側に固定され回転の際に、前記作動バー２２と相互干渉され前記作動バー２２を上下方向に移動させるカム部材３３４を含む。
【００７２】
前記モータ３２は、前記回転ボディ１６に連結され、前記モータ３２の作動の際に前記回転ボディ１６が回転され、前記作動バー２２は前記回転ボディ１６と共に回転される。
【００７３】
ここで、前記回転ボディ１６の回転の際に前記作動バー２２は、前記カム部材３３４と干渉されながら上下方向に移動される。即ち、本実施例によるモジュールは前記作動バー２２を回転させながら上下方向にも回転させる。
【００７４】
このように、本実施例によるモビールは、作動バー２２に設けられたオブジェ２４を回転させて上下方向に移動させることができるので、幼児の視線をより効果的に導くことができる。
【００７５】
以下、他の構成は前記一実施例と同一であるので、詳細な説明を省略する。
【００７６】
図１０は、本発明のまた他の実施例によるモビールの正断面図である。
【００７７】
図示されたように、本実施例によるモビールはカム部材２３４が回転される際に、前記カム部材２３４と相互干渉される回転バー２２５がカムボディ１２にヒンジ２２１で連結して回転されるように構成される。
【００７８】
即ち、前記回転バー２２２は前記カムボディ１２にヒンジ２２１で連結され、前記カムボディ１２の外側に延長された延長部２２３と、前記作動バー２２２により作動力を伝達受ける干渉部２２４を含む。
【００７９】
前記カム部材２３４は図７の形状と同一である。
【００８０】
ここで、前記カム部材２３４及び回転バー２２２との間には、図６または図７に示されたような作動バー２２２が設けられ、前記作動バー２２２はガイド３２３により水平方向に移動方向が案内される。
【００８１】
そして、前記作動バー２２２が前記カム部材２３４と相互干渉されると半径方向の外側に押されて移動され、前記作動バー２２２の移動により前記回転バー２２２の干渉部２２４が前記ヒンジ２２１を中心として回転される。
【００８２】
ここで、前記ヒンジ２２１を中心として前記作動バー２２２が回転されながらオブジェ２４が上下方向に移動され得る。以下、他の構成は前記図６、７に示されたまた他の実施例と同一であるので、詳細な説明を省略する。
【００８３】
以上、実施例を参照して説明したが、当該技術分野の熟練された当業者は、下記の特許請求の範囲に記載された本発明の思想及び領域を逸脱しない範囲内で本発明を多様に修正及び変更させることができる。
【図１】
2014530710.tif 000003
【図２】
2014530710.tif 000004
【図３】
2014530710.tif 000005
【図４】
2014530710.tif 000006
【図５】
2014530710.tif 000007
【図６】
2014530710.tif 000008
【図７】
2014530710.tif 000009
【図８】
2014530710.tif 000010
【図９】
2014530710.tif 000011
【図１０】
2014530710.tif 000012
【国際調査報告】
2014530710.tif 000013
2014530710.tif 000014
2014530710.tif 000015
2014530710.tif 000016
2014530710.tif 000017
2014530710.tif 000018